(57)【要約】【課題】サブシステムの構築に、そのコストと手間を削減できる。【解決手段】オッズ情報収集・提供システム３００は、競技場管理システム１００側の競技情報表示装置に表示されるオッズ情報ＯＤ、またはプリンタでシートＯＳに印刷されたオッズ情報をカメラ３０１、３０２で撮影し、このカメラ撮影されたオッズ情報をイーサネット（登録商標）ＶＰＮを介してサブシステム２００宛に送信し、サブシステム側には受信したオッズ情報を公営競技に関連する情報として出力する。競技場管理システム側の競技の実況放送を収音装置で収集し、イーサネット（登録商標）ＶＰＮを介してサブシステム側に送信し、サブシステム側で館内放送ができるようにする。【選択図】図１
0003144255.tif 000002
【実用新案登録請求の範囲】
【請求項１】
コンピュータ構成の競技場管理システム側で公営競技に関連する情報を収集して競技場内で提供し、コンピュータ構成のサブシステム側で前記競技場管理システムから公営競技に関連する情報をオンラインで収集して提供する公営競技情報の収集・提供システムであって、
前記競技場管理システム側に設置され、該競技場管理システム側の競技情報表示装置に表示される公営競技情報、またはプリンタで印刷された公営競技情報を撮影するカメラと、
前記カメラで撮影された公営競技情報を通信ネットワークを介して前記サブシステム宛に送信する送信装置と、
前記サブシステム側に設置され、前記通信ネットワークを介して送信された公営競技情報を受信し、この公営競技情報を該サブシステム側の競技情報表示装置の表示情報として出力する受信装置と、
を備えたことを特徴とする公営競技情報の収集・提供システム。
【請求項２】
前記カメラは、公営競技情報のうち、オッズ情報またはレース結果情報、またはオッズ情報とレース結果情報の両方を撮影し、前記サブシステム側に伝送することを特徴とする請求項１に記載の公営競技情報の収集・提供システム。
【請求項３】
前記送信装置は、前記カメラで撮影された静止画像または該静止画像から抽出したテキストデータのみを送信情報とすることを特徴とする請求項１または２に記載の公営競技情報の収集・提供システム。
【請求項４】
前記通信ネットワークはイーサネット（登録商標）ＶＰＮとし、前記送信装置および受信装置はメディアコンバータを介して該通信ネットワークとの間で情報伝送することを特徴とする請求項１乃至３の何れか１項に記載の公営競技情報の収集・提供システム。
【請求項５】
前記競技場管理システム側で放送される公営競技の音声情報をマイクロホンと収音装置で収集し、この音声信号を前記通信ネットワークを介して前記サブシステム側に館内放送情報として送信することを特徴とする請求項１乃至４の何れか１項に記載の公営競技情報の収集・提供システム。
【考案の詳細な説明】
【技術分野】
【０００１】
本考案は、競馬、競輪、競艇、オートレース等の公営競技におけるオッズ情報やレース結果などの公営競技に関連する情報（公営競技情報）を収集し、その情報を投票者などに提供する公営競技情報の収集・提供システムに係り、特にオッズ情報やレース結果などの情報収集に関する。
【背景技術】
【０００２】
公営競技の運営を支援するコンピュータシステムは、競技場管理システム（例えば競馬開催場に設置したコンピュータ処理システム）と複数のサブシステム（例えば場外発売所に設置したコンピュータ処理システム）間で、公営競技に関連する情報をオンライン通信する。これらシステムでは、それぞれレース情報の表示と発券票数情報の集計を行い、競技場管理システムでは発券票数情報を基にしてオッズを算出し、競技場管理システムとサブシステムでオッズ情報を表示し、競技場管理システムでは競技映像を収集してその表示およびサブシステムに伝送して映像表示し、競技場管理システムでは競技結果を基に当選金を算定し、競技場管理システムとサブシステムではそれぞれ当選金の表示と払い戻し機による払い戻しを可能にする（例えば、特許文献１参照）。
【０００３】
図２と図３は、公営競技の運営を支援するコンピュータシステムの要部構成例を示し、図２には競技場管理システムの構成を、図３にはサブシステムの構成を示す。競技場管理システム１００では、投票システム１０１を場内券売機１０２と結合して発券情報を収集し、さらに専用線を介してＴＣＰ通信で結合するサブシステム２００の券売機２０１から発券情報を収集し、これら発券情報および発券数から算定したオッズ情報は管理者用のディスプレイ１０３に表示すると共に、ＴＣＰ／ＩＰ通信で場内外に配信する。なお、競技場管理システムでは競技結果を基に算定する当選金情報を専用線を介してサブシステムに伝送し、その情報を厳重に保護・管理する。
発券情報とオッズ情報は、表示制御サーバ１０４と画像コントローラ１０５および分配器１０６によって競技情報表示装置１０７にレース別および競技場別に画像として表示する。また、発券情報とオッズ情報は、画像コントローラ１０８とマトリックススイッチャー１０９および分配器１１０を介して競技情報表示装置１１１、１１２に発券種類別および競技場別に画像として表示する。
なお、競技情報表示装置１１１、１１２にはマトリックススイッチャー１０９による信号切り替えで、衛星設備１１３とスカイネットアンテナ１１４を介して他の競技場のレース実況映像が表示される。
【０００４】
また、競技情報表示装置１０７、１１１には、スカイプ用パソコン１１５が接続され、スカイプ用マイク１１６からの館内放送が報じられると共に放送内容が表示される。さらに、競技情報表示装置１０７、１１１および１１２に表示される競技情報はハブ１１７とルータ１１８を介してＷｅｂサイト側に送信される。
サブシステム側は、前記の券売機２０１による競技場管理システムへの発券情報の送信のほか、Ｗｅｂサイトに通信接続されるルータ２０２によって競技場管理システムからのオッズ情報やレース結果の配信を受け、この情報をモニタリングユニット２０３〜２０５で映像化して競技情報表示装置２０６〜２０８で表示する。競技情報表示装置２０６〜２０８は競技場管理システムの装置１０７、１１１、１１２と同等の機能構成にされる。
さらに、サブシステム側は、スカイプ用パソコン２０９によって競技場管理システムでの館内放送信号を受信し、アンプ２１０とスピーカ２１１によってサブシステム内で放送する。また、スカイパーフェクトＴＶ用アンテナ２１２と分配器２１３は、他の競技場のレース映像の配信を受け、競技情報表示装置２１４、２１５にレース実況として映出する。
なお、オッズ情報の表示には、電光掲示板や競技情報表示装置による表示とオッズプリンタによるプリントアウトがある。また、競技場管理システム側から投票者の携帯電話にオッズ情報を配信するものがある。また、レース結果などの競技情報の表示には、テレビカメラによる撮影画像を多数のテレビ端末にＬＡＮで伝送するものやＷｅｂサイトや衛星通信によって携帯電話に配信するものがある（例えば、特許文献２参照）。
【特許文献１】特開２００２−２１５８３３公報
【特許文献２】特開２００５−２２７８２３公報
【考案の開示】
【考案が解決しようとする課題】
【０００５】
前記のコンピュータシステムにおいては、サブシステム側で発券した情報を専用回線で競技場管理システム側に送信し、オッズ情報やレース結果などの競技情報をＷｅｂサイトや衛星通信設備を使用して収集している。
このため、サブシステム側には、映像表示と音声放送用の機器・装置を設置するほか、オッズ情報やレース結果などの競技情報をオンラインで収集して表示情報に変換できる公営競技専用の機器・装置とソフトウェアの開発が必要となる。
特に、サブシステムを新設する場合、競技場管理システムとの間の通信形態（画像情報の処理方式、通信プロトコル、伝送速度など）やネットワーク性能で整合性を持たせるための折衝、問い合わせおよび設計・開発が必要となり、多くのコストと手間が必要となる。
本考案の目的は、サブシステムの構築に、そのコストと手間を削減できる公営競技情報の収集・提供システムを提供することにある。
【課題を解決するための手段】
【０００６】
本考案は、前記の課題を解決するため、競技場管理システム側の競技情報表示装置に表示される公営競技情報、またはプリンタで印刷された公営競技情報をカメラで撮影し、このカメラ撮影された公営競技情報を通信ネットワークを介してサブシステム宛に送信し、サブシステム側に送信された公営競技情報をサブシステム側に公営競技情報として出力できるようにし、さらに競技場管理システム側の放送装置で放送される公営競技の音声情報を収音装置で収集し、通信ネットワークを介してサブシステム側に送信し、サブシステム側で館内放送ができるようにしたもので、以下のシステムを特徴とする。
（１）コンピュータ構成の競技場管理システム側で公営競技に関連する情報を収集して競技場内で提供し、コンピュータ構成のサブシステム側で前記競技場管理システムから公営競技に関連する情報をオンラインで収集して提供する公営競技情報の収集・提供システムであって、前記競技場管理システム側に設置され、該競技場管理システム側の競技情報表示装置に表示される公営競技情報、またはプリンタで印刷された公営競技情報を撮影するカメラと、前記カメラで撮影された公営競技情報を通信ネットワークを介して前記サブシステム宛に送信する送信装置と、前記サブシステム側に設置され、前記通信ネットワークを介して送信された公営競技情報を受信し、この公営競技情報を該サブシステム側の競技情報表示装置の表示情報として出力する受信装置と、を備えたことを特徴とする。
（２）前記カメラは、公営競技情報のうち、オッズ情報またはレース結果情報、またはオッズ情報とレース結果情報の両方を撮影し、前記サブシステム側に伝送することを特徴とする。
【０００７】
（３）前記送信装置は、前記カメラで撮影された静止画像または該静止画像から抽出したテキストデータのみを送信情報とすることを特徴とする。
（４）前記通信ネットワークはイーサネット（登録商標）ＶＰＮとし、前記送信装置および受信装置はメディアコンバータを介して該通信ネットワークとの間で情報伝送することを特徴とする。
（５）前記競技場管理システム側で放送される公営競技の音声情報をマイクロホンと収音装置で収集し、この音声信号を前記通信ネットワークを介して前記サブシステム側に館内放送情報として送信することを特徴とする。
【考案の効果】
【０００８】
以上のとおり、本考案によれば、競技場管理システム側の競技情報表示装置に表示される公営競技情報、またはプリンタで印刷された公営競技情報をカメラで撮影し、このカメラ撮影された公営競技情報を通信ネットワークを介してサブシステム宛に送信し、サブシステム側に送信された公営競技情報をサブシステム側に公営競技情報として出力できるようにし、さらに競技場管理システム側の放送装置で放送される公営競技の音声情報を収音装置で収集し、通信ネットワークを介してサブシステム側に送信し、サブシステム側で館内放送ができるようにしたため、サブシステムの構築に、競技場管理システムとの間の通信形態（画像情報の処理方式、通信プロトコル、伝送速度など）やネットワーク性能で整合性を持たせるための折衝、問い合わせおよび設計・開発が不要となり、そのコストと手間を削減できる。
【考案を実施するための最良の形態】
【０００９】
図１は、本考案の実施形態を示すオッズ情報収集・提供システムの要部構成図である。
従来、競技場管理システム側の競技情報表示装置やオッズプリンタに出力されるオッズ情報やレース結果などの公営競技情報は、Ｗｅｂサイトを利用してサブシステム側に伝送している。
本実施形態に係るオッズ情報収集・提供システム３００は、例えば、競技場管理システム側の表示装置に表示またはプリンタで印字された画像をカメラで撮影し、この静止画像をサブシステム側に伝送することで、新規サブシステムの構築等にコストと手間を削減するものであり、以下、詳細に説明する。
競技場管理システム１００側では、図２の競技情報表示装置１０７、１１１の画面に現在のオッズを間歇的または連続的に表示する。また、オッズプリンタによって現在のオッズを提供している。
【００１０】
オッズ情報収集・提供システム３００は、競技場管理システム１００側で表示されるオッズ表示画像ＯＤを撮影できる監視カメラ３０１を設ける。また、オッズプリンタで印刷されたオッズシートＯＳを撮影できるディジタルカメラ３０２を設ける。これらカメラ３０１、３０２は、競技場別およびレース別のオッズを個別に撮影できるだけの台数を用意しておき、人手による撮影操作または遠隔制御による自動撮影でオッズの静止画を得る。
カメラ３０１、３０２で取得したオッズ表示画像（静止画）は、システム内のハブ３０３に時系列情報として多重化され、パソコンなどの通信情報処理機能をもつ送信装置（図示省く）によってサブシステム宛にして出力され、この情報がメディアコンバータ３０４を介してイーサネット（登録商標）ＶＰＮ側に送信される。
なお、メディアコンバータ３０４は、光ファイバーと銅線ケーブルなど、異なる伝送媒体を接続し、信号を相互に変換するものであり、ハブ３０３から銅線によって伝送されてくるオッズ表示画像信号を光ファイバーの信号に変換してイーサネット（登録商標）ＶＰＮによる長距離伝送を可能にする。また、イーサネット（登録商標）ＶＰＮは、公衆回線をあたかも専用回線であるかのように利用できるサービスであり、専用回線を導入するよりコストを抑えることができ、インターネットをバックボーンとした「インターネットＶＰＮ」に比べて、データの認証や暗号化で厳重に保護・管理することができ、混信や漏洩、盗聴などの危険性を低くする。
【００１１】
次に、オッズ情報収集・提供システム３００は、サブシステム２００側にメディアコンバータ３０５を設け、イーサネット（登録商標）ＶＰＮ経由で伝送されたオッズ表示画像信号を銅線信号に変換する。このオッズ表示画像情報はパソコンなどの通信情報処理機能をもつ受信装置（図示省く）で受信し、ハブ３０６側に伝送する。ハブ３０６は、オッズ表示画像をサブシステム２００側のモニタリングユニットＭＵ（図３のモニタリングユニット２０３〜２０５に相当する）に分配し、サブシステム２００側ではモニタリングユニットＭＵで受信したオッズ表示画像を競技情報表示装置２０６〜２０８で表示する。同様に、サブシステム２００側では、オッズプリンタによるオッズ印字情報を受信して、システム内のオッズプリンタによる印字出力を可能にする。
なお、サブシステムを複数個所に設置し、これらに競技場管理システム１００から情報提供する場合には、イーサネット（登録商標）ＶＰＮによるマルチキャスト伝送を行う。
【００１２】
以上の構成になるオッズ情報収集・提供システム３００において、例えば競技場管理システム１００が設置される競技場のロイヤルルーム内に監視カメラ３０１およびモニタテレビを設置し、モニタテレビに映し出されたオッズ表示画像を監視カメラ３０１で撮影し、この撮影画像をＪＰＥＧ変換し、イーサネット（登録商標）ＶＰＮ経由でサブシステム２００側に送信することで、サブシステム側の競技情報表示装置２０６〜２０８によるオッズ表示情報として提供することができる。
同様に、競技場管理システム１００に設置されているオッズプリンタで印刷されたオッズシートＯＳをディジタルカメラ３０２により静止画像として撮影し、このオッズ画像をサブシステム２００側に送信することで、サブシステム側の画像情報読み取り機能をもつコピー機械によりオッズシートとして提供することができる。
なお、カメラ３０１、３０２は、表示された映像を撮影するため、その解像度の高い物を使用し、高い品質の画像を得る。また、カメラ３０１、３０２はその画角、フォーカス、パン、チルトなどの設定機能をもつものとする。
【００１３】
また、本実施形態では、カメラで撮影したオッズ表示画像をそのまま静止画像として伝送する場合を示すが、カメラで撮影したオッズ表示画像からＯＣＲ（光学式文字読取装置）ソフトで解読し、テキストデータとして抽出し、これをサブシステム側に伝送することができる。この場合、イーサネット（登録商標）ＶＰＮの伝送負荷を大幅に減らすことができる。
また、実施形態では、オッズ情報収集・提供システム３００によるオッズ情報の収集と提供を行う場合を示すが、オッズ情報に代えてレース結果情報を競技場管理システム１００側で収集し、これをサブシステム２００側に伝送して投票者に提供することができる。
さらに、サブシステムがＷｅｂサイト経由でスカイプＰＣ２０９により取得していた館内放送信号を、オッズ情報収集・提供システム３００に設けた収音装置で収音し、この音声信号をサブシステム側に伝送することができる。この場合、館内放送をマイクロホンで収音し、この音声信号を収音装置でディジタル信号に変換してイーサネット（登録商標）ＶＰＮ経由で伝送し、サブシステム側ではスカイプ用ＰＣ２０９により受信し、サブシステム側で館内放送する。
【図面の簡単な説明】
【００１４】
【図１】本考案の実施形態を示すオッズ情報収集・提供システムの要部構成図。
【図２】従来の競技場管理システムの構成例を示す図。
【図３】従来のサブシステムの構成例を示す図。
【符号の説明】
【００１５】
１００  競技場管理システム、２００  サブシステム、３００  オッズ情報収集・提供システム、３０１  監視カメラ、３０２  ディジタルカメラ、３０３、３０６  ハブ、３０４、３０５  メディアコンバータ
【図１】
0003144255.tif 000003
【図２】
0003144255.tif 000004
【図３】
0003144255.tif 000005